(57)【要約】【課題】RGB画像光源構造の提供。【解決手段】本考案のRGB画像光源構造は、外殻からなり、外殻の一端は封閉端で、もう一端は空心の拡散光柱である。封閉端の内壁面上に回路板を設置する。回路板上に赤光、緑光、青光（RGB）三種の異なる光波長のLEDを連接し、拡散光柱とRGB三色光LED間に集光レンズを設置し、RGB三色光LEDの混合後に生成される光線は集光レンズにより拡散光柱に伝導され、拡散光柱により光線を出力する。外殻の拡散光柱とスリーブは連接し、スリーブ頂端はCCDレンズを設置し、底端はガラス基板を設置する。スリーブ中に反射レンズを設置し、反射レンズは外殻の光線出力端と対応し、RGB三色光LED混合後の光線は反射レンズに投射され、反射レンズにより、光線をガラス基板上に反射させ、更に、CCDレンズによりガラス基板上のスペクトル信号を捕捉すると共に、信号をコンピュータホストに伝送して、自動、或いは、手動調光し、ガラス基板上に反射したスペクトルとガラス基板の色を対応させる。【選択図】    図２
0003136694.tif 000002
【実用新案登録請求の範囲】
【請求項１】
RGB画像光源構造であって、
容置空間を有し、前記容置空間の一端は封閉端で、もう一端は空心拡散光柱である外殻と、
前記外殻中に定位し、前記拡散光柱に接近する集光レンズと、
RGB三色光LEDを連接し、前記外殻の封閉端の内壁面に位置し、前記RGB三色光LEDと前記集光レンズは対応し、前記RGB三色光LEDが混合して生成する光線は前記集光レンズによる集光後、前記拡散光柱により出力する回路板と、
からなることを特徴とするRGB画像光源構造。
【請求項２】
前記外殻の空心拡散光柱はスリーブと連接し、前記スリーブ内に前記拡散光柱と対応する反射レンズを設置し、前記スリーブ上方にCCDレンズを設置し、下方にガラス基板を設置することを特徴とする請求項１に記載のRGB画像光源構造。
【請求項３】
前記回路板とコンピュータホストが連接し、前記コンピュータホストが前記RGB三色光LEDの発光比率を調整することを特徴とする請求項１に記載のRGB画像光源構造。
【請求項４】
前記コンピュータホストはディスプレイ界面を有し、前記ディスプレイ界面は前記ガラス基板上のスペクトル画像、RGB三色光の比率、手動調整界面、及び、判断率選択界面を表示することを特徴とする請求項３、或いは、４に記載のRGB画像光源構造。
【考案の詳細な説明】
【技術分野】
【０００１】
本考案はRGB画像光源構造に関し、特に、RGB三種の異なる光波長の光線の混合により、ガラス基板と色が対応するスペクトルを投射するRGB画像光源構造に関する。
【背景技術】
【０００２】
図１は公知の画像光源構造を示す図である。公知の画像光源は、主に、ハロゲンランプ９１を光線ソースとし、ハロゲンランプ９１の光源出力口にフィルター９２を設置し、ハロゲンランプ９１が生成する光源はフィルター９２のろ過により異なる光波長の光線になる。ハロゲンランプ９１の光源出力口をスリーブ９３上に設け、スリーブ９３頂端はCCDレンズ９４を設置し、底端はガラス基板９５を設置する。スリーブ９３内にハロゲンランプ９１の光源出力口と対応する反射レンズ９６を設置し、ハロゲンランプ９１はフィルター９２によるろ過後の光線９７は反射レンズ９６によりガラス基板９５上で反射すると共に、CCDレンズ９４により捕捉して、ガラス基板９５上に投射された光線を確実にガラス基板９５の色に対応させる。しかし、公知の画像光源は応用上、以下のような欠点がある。
【０００３】
１．   公知の方法は機械の作動が早く、よって、フィルター９２を迅速に交換することができない。
２．   公知の方法はフィルター９２によりガラス基板９５と色対応の光線を出力するが、ガラス基板９５に瑕疵があると、適合するフィルター９２を再度探す必要がある。
３．   公知の方法は瑕疵品が出ると、機械を即時に停止させなければならないので、量産の円滑度が低下する。
４．   公知の方法は、ハロゲンランプ９１を発光源とし、ハロゲンランプ９１は高熱を生成しやすく、電力消耗を大きく、実用性に欠ける。
５．   公知のフィルター９２は常用規格であり、異なる場合は交換が必要で、オーダーメイドになると時間もかかる。
６．   公知のガラス基板９５は統一製作されても、色に偏差があり、ガラス基板９５のスペクトル分析後、ガラス基板９５の色と対応するフィルター９２を製作する必要がある。
【考案の開示】
【考案が解決しようとする課題】
【０００４】
本考案は、RGB画像光源構造を提供し、上述の問題を解決することを目的とする。
【課題を解決するための手段】
【０００５】
本考案のRGB画像光源構造は、外殻からなり、外殻内部には容置空間を有し、その一端は封閉端で、もう一端は空心の拡散光柱である。封閉端の内壁面上に回路板を設置する。回路板上に赤光、緑光、青光（RGB）三種の異なる光波長のLEDを連接し、RGB三種の異なる光波長のLEDにより、光を混合させ、拡散光柱に接近する箇所に集光レンズを設置する。集光レンズとRGB三色光のLEDは対応し、RGB三色光の混合後に生成される光線は集光レンズにより拡散光柱に伝導され、拡散光柱により光線を出力する。外殻の拡散光柱とスリーブは連接し、スリーブ頂端はCCDレンズを設置し、底端はガラス基板を設置する。スリーブ中に空心の拡散光柱と対応する反射レンズを設置し、RGB三色光LED混合後の光線は反射レンズに投射され、反射レンズにより、光線をガラス基板上に反射させ、更に、CCDレンズによりガラス基板上のスペクトル信号を捕捉すると共に、信号をコンピュータホストに伝送して、自動、或いは、手動調光し、ガラス基板上に反射した光線とガラス基板の色を対応させる。
【考案の効果】
【０００６】
本考案により、RGB三色光により色の混合を実行し、RGB三色光の異なる混合比率によりガラス基板と色が対応する光線を生成し、公知のフィルターを使用する際の欠点を改善すると共に、ガラス基板の色がどうであれ、色が対応する光線を生成することができ、また、LEDを発光源とし、低熱度、低電力消耗、小体積である、という長所が得られる。
【考案を実施するための最良の形態】
【０００７】
図２、図３は本考案のRGB画像光源構造を示す図で、主に、外殻１と集光レンズ２と回路板３とからなる。
【０００８】
外殻１内に容置空間１１を有し、容置空間１１は一端が封閉端１１１で、もう一端が空心の拡散光柱１１２である。
【０００９】
集光レンズ２は外殻１中に定位し、拡散光柱１１２に近接する。
【００１０】
RGB三色光のLED４を連接する回路板３は、外殻１の封閉端１１１内壁面上に位置し、RGB三色光LED４と集光レンズ２は対応し、且つ、回路板３はコンピュータホストと連接する（図示されない）。コンピュータホストはRGB三色光LED４の発光比率を調整し、RGB三色光LED４の光を混合し、各種異なる波長の光線を生成し、光線は集光レンズ２の集光後、拡散光柱１１２により出力される。
【００１１】
図４〜図６は本考案の実施例図であり、外殻１の拡散光柱１１２とスリーブ５が連接し、スリーブ５頂端はCCDレンズ７を設置し、底端はガラス基板８を設置する。スリーブ５柱に拡散光柱１１２と対応する反射レンズ６を有し（図4で示される）、RGB三色光LED4混合後の光線１２は拡散光柱１１２により反射レンズ６上に投射され（図５で示される）、反射レンズ６により光線１２がガラス基板８上で反射し、更に、CCDレンズ７によりガラス基板８上のスペクトル信号を捕捉し、信号をコンピュータホスト中に伝送し、ディスプレイ界面８１によりガラス基板上のスペクトル画像８１１、RGB三色光の比率８１２、手動調整界面８１３、及び、判断率選択界面８１４を表示する（図６で示される）。投射される光線１２がガラス基板８の色に符合しない場合、使用者は自動、或いは、手動の方式でRGB三色光LED４を調光し、ガラス基板８上に反射する光線１２がガラス基板８の色と対応するよう確保する。
【００１２】
本考案の以下のようである。
【００１３】
１．  
本考案はRGB三色光により色の混合を実行し、RGB三色光の異なる混合比率によりガラス基板と色が対応する光線を生成し、公知のフィルターを使用する際の欠点を改善する。
２．  
本考案はRGB三色光により色の混合を実行し、ガラス基板の色がどうであれ、色が対応する光線を生成することができる。
３．  
本考案は、LEDを発光源とし、低熱度、低電力消耗、小体積である。
【００１４】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１５】
【図１】公知の画像光源構造を示す図である。
【図２】本考案のRGB画像光源構造の断面図である。
【図３】本考案のRGB画像光源構造の立体図である。
【図４】本考案のRGB画像光源構造の応用図である。
【図５】本考案のRGB画像光源構造のRGB光混合を示す図である。
【図６】本考案のRGB画像光源構造のコンピュータディスプレイ界面を示す図である。
【符号の説明】
【００１６】
1外殻
11容置空間
111封閉端
112拡散光柱
12光線
2集光レンズ
3回路板
4LED
5スリーブ
6反射レンズ
7CCDレンズ
8ガラス基板
81ディスプレイ界面
811スペクトル画像
812RGB三色光の比率
813手動調整介面
814判断率選擇界面
91ハロゲンランプ
92フィルター
93スリーブ
94CCDレンズ
95ガラス基板
96反射レンズ
97光線
【図１】
0003136694.tif 000003
【図２】
0003136694.tif 000004
【図３】
0003136694.tif 000005
【図４】
0003136694.tif 000006
【図５】
0003136694.tif 000007
【図６】
0003136694.tif 000008
【手続補正書】
【提出日】平成19年7月3日(2007.7.3)
【手続補正１】
【補正対象書類名】図面
【補正対象項目名】図６
【補正方法】変更
【補正の内容】
【図６】
0003136694.tif 000009